(57)【要約】【課題】粘着テープ等の封止部材を用いることなく、底部の閉塞状態を強固に維持することができる段ボール箱を提供する。【解決手段】互いに対向する一対の第２側板８に連設された外フラップ５の先端部に、舌片１２を設ける。互いに対向する一対の第１側板７に連設された内フラップ４に、舌片１２が挿入自在の大略コ字形の挿入切込１４により、舌片１２の挿入方向に沿って遊離する遊離片１５を設ける。遊離片１５の先端に舌片１２の挿入方向に沿って突出する突部１６を設ける。、舌片１２を挿入切込１４に挿入して遊離片１５の外側に重合したとき、突部１６が没入して突部１６の先端縁に内側縁が当接し、舌片１２を挿入切込１４からの抜け出しを規制する係止切込１７を舌片１２に設ける。【選択図】図２
2004155438.tif 000002
【特許請求の範囲】
【請求項１】
一方向に互いに対向する一対の第１側板と、他方向に互いに対向する一対の第２側板とによって四角筒状の胴部が形成され、それぞれの第１側板の下縁に沿って折目線を介して連設された一対の内フラップを対向方向に直角に折り曲げ、それぞれの第２側板の下縁に沿って折目線を介して連設された一対の外フラップを対向方向に直角に折り曲げて前記内フラップの外側に重合させて底部を閉塞する段ボール箱において、
前記外フラップには、その先端部に舌片が設けられ、
前記内フラップには、前記舌片が挿入自在の大略コ字形の挿入切込により、該舌片の挿入方向に沿って遊離する遊離片が形成され、
該遊離片は、その先端に前記舌片の挿入方向に沿って突出する突部を備え、
前記舌片には、該舌片を前記挿入切込に挿入して前記遊離片の外側に重合したとき、前記突部が没入して該突部の先端縁を係止し、該舌片の前記挿入切込からの抜け出しを規制する係止切込が設けられていることを特徴とする段ボール箱。
【請求項２】
前記外フラップには、前記舌片に隣接して該外フラップの先端部に設けられ、該舌片が前記挿入切込に挿入されたとき、内フラップの外側に当接する押え片が設けられていることを特徴とする請求項１記載の段ボール箱。
【発明の詳細な説明】
【０００１】
【発明の属する技術分野】
本発明は、段ボール箱に関し、詳しくは、一対の内フラップに一対の外フラップを重合して底部を形成する段ボール箱に関する。
【０００２】
【従来の技術】
従来、４枚の側板により四角筒状の胴部が形成され、一方向に対向する一対の側板に連設された外フラップの先端部に舌片を設け、他方向に対向する一対の側板に連設された内フラップに前記舌片が挿入自在の切込を設け、内フラップを水平に折り曲げた後に、外フラップを内フラップに重合させ、このときに、外フラップの舌片を内フラップの切込に挿入して胴部を閉塞する段ボール箱が知られている（例えば、特許文献１参照）。
【０００３】
これによれば、外フラップと内フラップとは、舌片と切込との係合によって開放が防止され、例えば、粘着テープ等の封止部材を用いることなく、両フラップによる閉塞状態を維持することができる。
【０００４】
しかし、上記の閉塞構造を段ボール箱の底部に採用したとき、例えば、複数の箱の積み上げ作業や運搬作業を行なう際に外部から外フラップに接触した場合には、内フラップの切込から外フラップの舌片が不用意に抜け出す不都合がある。また、重量が比較的重い収納物を収納したとき、収納物の荷重により底部の内フラップが下方に撓み、その撓みによって内フラップの切込から相対的に外フラップの舌片が抜け出す不都合がある。
【０００５】
【特許文献１】
特開平８−１４３０２５号公報（第１図）
【０００６】
【発明が解決しようとする課題】
かかる不都合を解消して、本発明は、粘着テープ等の封止部材を用いることなく、底部の閉塞状態を強固に維持することができる段ボール箱を提供することを目的とする。
【０００７】
【課題を解決するための手段】
かかる目的を達成するために、本発明の段ボール箱は、一方向に互いに対向する一対の第１側板と、他方向に互いに対向する一対の第２側板とによって四角筒状の胴部が形成され、それぞれの第１側板の下縁に沿って折目線を介して連設された一対の内フラップを対向方向に直角に折り曲げ、それぞれの第２側板の下縁に沿って折目線を介して連設された一対の外フラップを対向方向に直角に折り曲げて前記内フラップの外側に重合させて底部を閉塞するものである。本発明においては、前記外フラップの先端部に舌片が設けられている。一方、前記内フラップには、前記舌片が挿入自在の大略コ字形の挿入切込により、該舌片の挿入方向に沿って遊離する遊離片が形成されている。更に、該遊離片は、その先端に前記舌片の挿入方向に沿って突出する突部を備えている。そして、前記舌片には、該舌片を前記挿入切込に挿入して前記遊離片の外側に重合したとき、前記突部が没入して該突部の先端縁を係止し、該舌片の前記挿入切込からの抜け出しを規制する係止切込が設けられている。
【０００８】
本発明の段ボール箱の底部を閉塞するときには、先ず、内フラップを対向方向に直角に折り曲げる。次いで、外フラップを対向方向に直角に折り曲げて内フラップの外側に重合させる。このとき、外フラップに設けられた前記舌片を、内フラップに形成された挿入切込に挿入する。前記舌片を挿入切込に挿入することにより、前記遊離片が内フラップから遊離し、該舌片の内面に胴部の内側方向から重なって当接する。そして、遊離片に備える突部を舌片に圧接させるようにすると、遊離片の突部が舌片を撓ませながら該舌片に没入し、該舌片に形成された係止切込に突部の先端縁が係止する。これにより、舌片は挿入切込からの抜け出しが規制され、底部の閉塞状態を強固に維持することができる。
【０００９】
本発明において、前記外フラップには、前記舌片に隣接して該外フラップの先端部に設けられ、該舌片が前記挿入切込に挿入されたとき、内フラップの外側に当接する押え片が設けられていることが好ましい。
【００１０】
前記押え片は前記舌片に隣接して設けられているので、前記挿入切込に挿入された該舌片が内フラップの内方に位置し、前記押え片が内フラップの外方に位置して内フラップを挟み込む。これにより、内フラップの開放を確実に防止することができ、底部の閉塞状態を一層強固に維持することができる。
【００１１】
【発明の実施の形態】
本発明の一実施形態を図面に基づいて説明する。図１は本実施形態の段ボール箱の底部を示す説明的斜視図、図２は本実施形態の段ボール箱の展開図、図３は本実施形態の段ボール箱における底部の閉塞作業を示す説明図、図４は本実施形態の段ボール箱の底部を胴部の内側から示す説明的平面図、図５は要部の断面説明図である。
【００１２】
本実施形態の段ボール箱１は、図１において天地を逆方向にして示すように、胴部２と底部３とを備え、該底部３は一対の底部内フラップ４と、一対の底部外フラップ５とによって閉塞されている。
【００１３】
該段ボール箱１は、図２に示す大略矩形状に打抜かれた段ボール板紙６によって形成されている。該段ボール板紙６は、一対の第１側板７と、一対の第２側板８とがそれぞれ折目線ａを介して交互に連設されている。一側端に位置する第２側板８の側縁には、折目線ｂを介して接着片９が連設されている。
【００１４】
各第１側板７の下縁には折目線ｃを介して底部内フラップ４が連設されており、その上縁には折目線ｄを介して天部内フラップ１０が連設されている。各第２側板８の下縁には折目線ｅを介して底部外フラップ５が連設されており、その上縁には折目線ｆを介して天部外フラップ１１が連設されている。
【００１５】
各底部外フラップ５の先端部には、一対の舌片１２が形成されている。両舌片１２の間には押え片１３が形成されている。両舌片１２と押え片１３とは各底部外フラップ５の先端部に切れ目を設けることによって形成されている。
【００１６】
また、各底部内フラップ４には、各舌片１２を挿入自在とする挿入切込１４が形成されている。各挿入切込１４は大略コ字形に切り込まれており、これによって、各底部内フラップ４から遊離する遊離片１５が形成される。該遊離片１５にはその先端に略半円形状の突部１６が形成されている。更に、各舌片１２には、遊離片１５の突部１６の先端縁形状に対応する円弧状の係止切込１７が形成されている。
【００１７】
図２に示す段ボール板紙６においては、前記接着片９を図示しない接着剤を介して反対側の側端に位置する第１側板７の側縁部に接着することにより、四角筒状の胴部２（図１参照）が形成される。
【００１８】
そして、底部３を閉塞するときには、図３（ａ）に示すように、両底部内フラップ４を折目線ｃを介して水平に折り曲げ、その線端縁同士を互いに当接させる。次いで、図３（ｂ）に示すように、両底部外フラップ５を折目線ｅを介して水平に折り曲げ、各舌片１２をそれぞれに対応する挿入切込１４に挿入する。このとき、舌片１２を挿入切込１４への挿入方向に向けるために、両底部外フラップ５を山折りする折目線ｇを設けておくことが好ましい。
【００１９】
このようにして閉塞された底部３は、図４及び図５（ａ）に示すように、舌片１２が底部内フラップ４の内側に挿入され、舌片１２の内面側には、底部内フラップ４から遊離した遊離片１５が重合された状態となる。
【００２０】
そして、該段ボール箱１の内部に例えば野菜等の重量の比較的重い収納物（図示せず）を収納すると、図５（ｂ）に示すように、遊離片１５が下方に押され、それに伴って舌片１２が下方に撓んで、係止切込１７が上下にずれて遊離片１５の突部１６が舌片１２に没入する。これによって、遊離片１５の突部１６の先端縁が係止切込１７に係止され、舌片１２は挿入切込１４からの抜け方向に規制される。
【００２１】
なお、本実施形態においては、底部外フラップ５に一対の舌片１２を設け、両舌片１２の間に前記押え片１３を形成したものについて説明したが、それ以外に、図示しないが、底部外フラップに一対の押え片を設け、両押え片の間に舌片を設けてもよい。この場合には、一対の底部内フラップの先端を互いに当接したときに、底部内フラップにまたがって挿入切込が形成されることは言うまでもない。
【００２２】
また、前記遊離片１５に備える突部１６の形状は、半円形状に限るものではなく、例えば、図示しないが、矩形状に突出させてもよい。この場合には、係止切込の形状も突部に対応するコ字形とすることは言うまでもない。
【図面の簡単な説明】
【図１】本発明の一実施形態の段ボール箱の底部を示す説明的斜視図。
【図２】本実施形態の段ボール箱の展開図。
【図３】本実施形態の段ボール箱における底部の閉塞作業を示す説明図。
【図４】本実施形態の段ボール箱の底部を胴部の内側から示す説明的平面図。
【図５】要部の断面説明図。
【符号の説明】
１…段ボール箱、２…胴部、３…底部、４…底部内フラップ（内フラップ）、５…底部外フラップ（外フラップ）、７…第１側板、８…第２側板、１２…舌片、１３…押え片、１４…挿入切込、１５…遊離片、１６…突部、１７…係止切込。
【図１】
2004155438.tif 000003
【図２】
2004155438.tif 000004
【図３】
2004155438.tif 000005
【図４】
2004155438.tif 000006
【図５】
2004155438.tif 000007